(57)【要約】【課題】落下防止用ワイヤの取り付け作業が短時間で容易に済むようにしたテレビカメラ装置を提供すること。【解決手段】天井などの設置対象に対するカメラ本体部１の取り付けにカメラ取付部２を介在させ、カメラ本体部１とカメラ取付部２を落下防止ワイヤ３で繋ぐことによりカメラ本体部１の落下を防止するようにしたテレビカメラ装置において、リング端子３１をワイヤ取付部２２にネジ止めすることにより、カメラ取付部２に対する落下防止ワイヤ３の取り付けを行い、カメラ本体部１に対する落下防止ワイヤ３の取り付けには、ボール端子３２と図示してない溝孔１４の係合による着脱機構を用いたもの。【選択図】図２
2012094970.tif 000002
【特許請求の範囲】
【請求項１】
設置対象に対するカメラ本体部の取り付けにカメラ取付部を介在させ、前記カメラ本体部と前記カメラ取付部を繋いだワイヤにより前記カメラ本体部の落下防止を得る方式のテレビカメラ装置において、
前記カメラ取付部に対する前記ワイヤの取り付けには、ネジ止めによる固定機構を用い、前記カメラ本体部に対する前記ワイヤの取り付けには、ボール端子と溝孔による着脱機構を用いたことを特徴とするテレビカメラ装置。
【発明の詳細な説明】
【技術分野】
【０００１】
本発明は、天井面や壁面に設置して使用されるテレビジョンカメラに係り、特に監視用に好適なテレビカメラ装置に関するものである。
【背景技術】
【０００２】
近年、安全性の確保や保安維持の見地から遠隔画像モニタ方式による監視システムの適用が進んでいるが、この場合、監視用であることから、テレビカメラ(テレビジョンカメラ)の設置位置としては較的高い場所が選定されることが多く、この結果、テレビカメラは、建物の天井下面や壁面の上部などに設置される場合が多い。
また、このことは、新築の場合に限らず、既存の建物や構造物に適用する場合も事情は同じで、やはりテレビカメラは建物の天井下面や壁面の上部などに設置される場合が多く、しかも、この場合は、後付け作業になる。
【０００３】
ところで、このときのテレビカメラの取付けには、通常、カメラ本体部(テレビカメラの本体部分)とは別体になっているカメラ取付部(カメラ取付用の部材)を用い、まず、このカメラ取付部を建物の天井面や壁面など所望の場所にネジなどにより取り付け、その後、当該カメラ取付部にカメラ本体部を保持させる方法が一般的である(例えば、特許文献１などを参照。)。
【０００４】
しかしながら、この場合、テレビカメラの取り付け作業や取り外し作業に際してカメラ本体部を手から取り落したり、地震による振動や物体の接触などにより取り付けが外れたりして、カメラ本体部が落下してしまうことがある。
しかして、このような事態が発生したとすれば、単にテレビカメラの破損だけにとどまらず、落下物による危害が発生してしまう虞がある。
【０００５】
そこで、従来から、安全対策として落下防止用のワイヤを用い、例えば照明機器などの機器が取り落とされたり、取り付けが外れた場合には、当該機器がワイヤにより吊り下げ保持され、床面まで落ちてしまうことがないようにしている(例えば、特許文献２などを参照。)。
【先行技術文献】
【特許文献】
【０００６】
【特許文献１】特開２００８−１０４０７７号公報
【特許文献２】特開２００３−３０８７１９号公報
【発明の概要】
【発明が解決しようとする課題】
【０００７】
ところで、このような落下防止用のワイヤを用いた場合、カメラ取付部を天井など所望の場所に取り付けたら、ここでワイヤを接続する作業が必要になるが、しかし、このときは、ワイヤによる安全性の確保は得られない。
何故なら、この場合、安全性の確保は、ひとえにワイヤの存在に依存しているので、テレビカメラの本体がワイヤでカメラ取付部に繋がれた後でなければ落下防止は得られないからである。
【０００８】
そこで、このような落下防止用のワイヤを用いた場合には、ワイヤの取り付け作業が簡単で極力短時間で終了できるようにするのが望ましい。
何故なら、作業時間中はワイヤによる安全性の確保が得られないので、作業が複雑になり時間が長くなれば、その分、落下に伴う安全性の低下が増してしまうからである。
しかしながら、従来技術では、ワイヤの取り付け作業の簡素化に配慮がされているとは言えず、取り付け作業中での安全性の確保に問題があった。
【０００９】
従来技術では、ワイヤがネジ止めされているので、カメラ本体の取り付けと取り外しに際して工具が必要な上、工具を用いた分、作業内容が複雑になり、しかも天井など高所での作業になるので、作業の簡素化と作業時間の短縮及び安全性の確保が難しくなってしまうのである。
本発明の目的は、落下防止用ワイヤの取り付け作業が短時間で容易に済むようにしたテレビカメラ装置を提供することにある。
【課題を解決するための手段】
【００１０】
上記目的は、設置対象に対するカメラ本体部の取り付けにカメラ取付部を介在させ、前記カメラ本体部と前記カメラ取付部を繋いだワイヤにより前記カメラ本体部の落下防止を得る方式のテレビカメラ装置において、前記カメラ取付部に対する前記ワイヤの取り付けには、ネジ止めによる固定機構を用い、前記カメラ本体部に対する前記ワイヤの取り付けには、ボール端子と溝孔による着脱機構を用いることにより達成される。
【発明の効果】
【００１１】
本発明によれば、天井などの高所でのワイヤの取付作業が不要になるので、安全性の確保が容易になり、カメラ本体部に対するワイヤの着脱が手作業で済むので、取付作業現場での作業が単純化され、短時間で作業を済ませることができる。
【図面の簡単な説明】
【００１２】
【図１】本発明に係るテレビカメラ装置の一実施の形態を示す正面図である。
【図２】本発明に係るテレビカメラ装置の一実施の形態を示す分解斜視図である。
【図３】本発明の実施形態における落下防止用ワイヤの詳細図である。
【図４】本発明の実施形態におけるカメラ本体部の斜視図である。
【図５】本発明の実施形態におけるワイヤ係止用溝孔の拡大図である。
【図６】本発明の実施形態におけるワイヤ係止用溝孔の機能を説明する第１の図である。
【図７】本発明の実施形態におけるワイヤ係止用溝孔の機能を説明する第２の図である。
【発明を実施するための形態】
【００１３】
以下、本発明に係るテレビカメラ装置について、図示の実施形態により詳細に説明する。
図１と図２において、１はカメラ本体部で、２はカメラ取付部であり、ここで、当初は、図１に示すように、このカメラ取付部２を天井Ｓの所望の位置の下面に予め取り付けておく。そして、このカメラ取付部２に、図１に示すように、下方からカメラ本体部１を押し付け、カメラ取付部２に設けてある係合部材２０、２１に係合させることにより、図１に示すように、カメラ本体部１が天井Ｓの所望の位置に保持される。
【００１４】
このときカメラ本体部１は、撮像部１０と保持部１１、それに台座部１２で構成されている。
そして、まず、撮像部１０は、少なくともレンズと撮像素子を備え、監視範囲を視野として撮像を行い、被写体の画像信号を取得する働きをする。
次に、保持部１１と台座部１２は、撮像部１０を保持し、当該撮像部１０の撮像視野が所望の方向を向くように調整し、固定保持するという、いわゆるカメラ雲台としての働きをする。
このとき保持部１１は、撮像部１０の仰角を調整し保持する働きをし、台座部１２は、撮像部１０の方位角を調整し保持する働きをする。
【００１５】
次に、係合部材２０、２１は、図示の通り、カメラ取付部２の左右に対になって設けてあり、カメラ本体部１の台座部１２を下側からカメラ取付部２の台座受け部２３(後述)に位置合わせして押し付けると、バネの弾力に逆らって外側に広がることにより台座部１２を受入れ、その後、バネの弾力により台座部１２に係合してカメラ本体部１を保持するようになっている。
そして、必要なとき、係合部材２０、２１を各々外側から押してやれば、カメラ本体部１に対する係合が解かれ、カメラ取付部２からカメラ本体部１を取り外すことができるようになっている。
【００１６】
このときカメラ取付部２には、図２に示されているように、更にワイヤ取付部２２と台座受け部２３が設けてある。
ここで、まず、ワイヤ取付部２２は、図示のように、カメラ取付部２にカメラ本体部１が取り付けられたとき、カメラ取付部２の後ろ側になり、且つ、カメラ本体部１の台座部１２の中に含まれるような位置に設けられ、このワイヤ取付部２２に落下防止ワイヤ３の一端が係止されるようになっている。
次に、台座受け部２３は、カメラ本体部１が取り付けられたときの位置決め用の部材として機能する。
【００１７】
図３は、この落下防止ワイヤ３の詳細で、このワイヤ３は、所望の長さの芯線３０の一方の端部にリング端子３１を設け、他方の端部にはボール端子３２を設けたものであり、このとき芯線３０には被覆３３が施されている。
ここで、まず、芯線３０は、例えばステンレスの撚り線などで作られた可撓性の金属ワイヤで、これに被覆３３として、例えばビニールなどのプラスチックからなる保護層を設けたものである。
【００１８】
次に、リング端子３１は、ネジ止め用の孔を備えた端子用の金具で、例えばＡＭＰ端子(登録商標)として知られている圧着端子を用い、芯線３０の一方の端部に圧着接合して強固に取り付けられている。
そして、ボール端子３２は、例えば錫合金などの低溶融金属材からなる球体を金属ワイヤからなる芯線３０の端部に溶融して一体に形成したもので、類似のものにボーデンケーブル(Bowden cable)の芯線として用いられている玉付きワイヤと呼ばれているものがある。
ここで、このボール端子３２は球体のものに限るものではなく、例えば短円筒形(鼓形)など任意の形状にすることができる。
【００１９】
次に、カメラ本体部１の底面、つまり台座部１２の底面には、図４に示すように、金属板で作られた台座取付部１３が取り付けてある。
ここで、この台座取付部１３は、カメラ本体部１をカメラ取付部２に保持させたとき、当該台座取付部１３がカメラ取付部２の台座受け部２３に嵌合することにより、取付位置が決められるように機能する。
そして、この台座取付部１３には、溝孔１４として細隙(スリット)が形成してあり、この溝孔１４の丸孔部１５から落下防止ワイヤ３のボール端子３２を挿入し、台座取付部１３の裏側にボール端子３２が引っ掛かるようにして、落下防止ワイヤ３がカメラ本体部１に繋ぎ止められるようになっている。
【００２０】
ここで、図５は、溝孔１４の詳細を示したものであり、この図から明らかなように、この溝孔１４は、大別すると２本の直線部分１６、１７で形成されている。
そして、まず、一方の直線部分１６は、台座取付部１３の周辺端部１９から、当該台座取付部１３の中心に向かう直線と並行に延びた形で設けられ、次に、他方の直線部分１７は、直線部分１６の途中で当該直線部分１６から直角方向に延びた形で設けられ、その先端に丸孔部１５が位置している。
このとき一方の直線部分１６には、台座取付部１３の周辺端部１９から直線部分１７に至るまでの途中に突起１８が形成してある。
【００２１】
そして、これら落下防止ワイヤ３と溝孔１４については、図３と図５に示されている通りの寸法にしてある。
まず、落下防止ワイヤ３の場合、芯線３０の外径は、被覆３３も含めて１.３５mm、ボール端子３２の直径は３mm、次に、溝孔１４では、丸孔部１５の直径は４mm、直線部分１６、１７のスリット幅は１.５mm、直線部分１６の突起１８がある部分では１mm になっている。
従って、ボール端子３２は、余裕をもって丸孔部１５に挿入でき、この後、芯線３０は、溝孔１４の直線部分１７から直線部分１６に容易に移動でき、突起１８が有る部分では、落下防止ワイヤ３に多少力を加える必要はあるが、一応、周辺端部１９までは容易に移動させることができる。
【００２２】
そうすると、この場合、ボール端子３２を丸孔部１５から溝孔１４の下に挿入してやれば、ボール端子３２が溝孔１４により係止されるので、落下防止ワイヤ３はカメラ本体部１に取り付けられ、丸孔部１５により溝孔１４の下からボール端子３２を取り出してやれば、溝孔１４によるボール端子３２の係止が外れ、落下防止ワイヤ３はカメラ本体部１から取り外せることになる。
そこで、このときのボール端子３２と溝孔１４による落下防止ワイヤ３の取り付けについては、ボール端子と溝孔による着脱機構と定義する。
【００２３】
次に、この実施形態の作用効果について説明する。
いま、この実施形態に係るテレビカメラ装置を、例えば監視用のカメラ装置として、所望の場所に設置しようとしたとする。
しかして、この実施形態の場合、ここで直ちにカメラ取付部２の取り付けを行うのではなく、まず、図２に示すように、カメラ取付部２に落下防止ワイヤ３を取り付ける。つまり、落下防止ワイヤ３のリング端子３１を、カメラ取付部２のワイヤ取付部２２にネジ止めするのである。
そこで、このときの落下防止ワイヤ３の取り付けについては、ネジ止めによる固定機構と定義する。
【００２４】
このときワイヤ取付部２２は、まだ天井などに取り付けられていないので、安定した作業台の上などで手元にある状態にでき、従って、落下防止ワイヤ３の取り付け作業には何ら危険が伴なう虞はなく、ネジやドライバなどの工具を取り落しても、何も問題はない。
そして、この後、カメラ取付部２を天井Ｓ(図１)に取り付けるのである。
そうすると、このときは、既に落下防止ワイヤ３がカメラ取付部２に取り付けられているから、落下防止ワイヤ３の取り付け作業に伴う落下などの危険の虞は全くない。
【００２５】
こうしてカメラ取付部２が天井Ｓに取り付けられると、この後は、落下防止ワイヤ３がカメラ取付部２から吊り下がっている状態になっている。
そこで、次に、このカメラ取付部２にカメラ本体部１を取り付けるのであるが、このとき、図４に示すように、カメラ取付部２から吊り下がっている落下防止ワイヤ３の端にあるボール端子３２を、溝孔１４の丸孔部１５から当該溝孔１４の中に挿入し、図６に矢印Ｘと矢印Ｙで示したように、直線部分１７と直線部分１６の中を移動させ、周辺端部１９まで移しておく。
【００２６】
そうすると、落下防止ワイヤ３のボール端子３２は直線部分１６の周辺端部１９において溝孔１４に係合され、この後、ボール端子３２の移動は直線部分１６にある突起１８により阻止される。
従って、落下防止ワイヤ３の他方の端部は台座取付部１３を介してカメラ本体部１に保持されていることになり、この結果、ここでカメラ本体部１とカメラ取付部２は、落下防止ワイヤ３により相互に繋がれた状態になる。
そこで、ここからカメラ本体部１の取付作業に入れば、このように相互に落下防止ワイヤ３で繋がれた状態のもとでの作業になり、従って、落下防止用としてのワイヤの機能が充分に発揮され、カメラ本体部１の落下を確実に防ぐことができる。
【００２７】
このときのカメラ本体部１の取付作業は、上記したように、カメラ本体部１の台座部１２を下側からカメラ取付部２の台座受け部２３に位置合わせして押し付けるだけであり、これにより係合部材２０、２１がバネの弾力により外側に広がって台座部１２を受入れ、台座部１２に係合してカメラ本体部１が保持されることになる。
このとき、落下防止ワイヤ３は、カメラ本体部１の台座部１２とカメラ取付部２の間にある空所内に納めておくことができる。
【００２８】
そうすると、この実施形態の場合、その落下防止ワイヤ３は、既に説明したように、カメラ取付部２が天井などに取り付けられる前、既にワイヤ取付部２２に取り付け済であり、このとき台座取付部１３の溝孔１４に対する取付作業は、カメラ本体部１が下にあって台座取付部１３が上を向いている状態のときに実行できる。
従って、落下防止ワイヤ３の取付作業が容易で、このとき落下が伴う虞はほとんどなく、勿論、ネジやドライバなどの工具を取り落とす虞もない。
【００２９】
そして、このことは、この実施形態の場合、落下防止ワイヤ３の取り付け方法が、上側にあるカメラ取付部２ではリング端子３１を用いたネジ止め固定になっていて、下側のカメラ本体部１では、溝孔１４に対するボール端子３２の係合になっていることに由来する。
つまり、この場合、上側では、単なる手作業ではなく、例えばネジとドライバなどの工具の使用を要する取付方法を用いているのに対して、下側では、固定用の部材や工具が何れも不要で、手作業だけの着脱が可能な方法を用いているからである。
【００３０】
しかも、この実施形態の場合、このときのカメラ本体部１の取付作業は、上記したように、カメラ本体部１を下側からカメラ取付部２に押し付けるだけの比較的簡単な作業で済み、従って、このときのカメラ本体部１の取り落しの可能性はかなり低い筈であり、それにもかかわらず、更に落下防止ワイヤ３が設けられ、しかも、上記したように、このときの落下防止ワイヤ３の取り付けに伴うカメラ本体部１の取り落しの虞がなく、従って、この実施形態によれば、取付作業中でのカメラ本体部１の落下を確実に防ぐことができる。
【００３１】
次に、カメラ本体部１の取り外しについて説明する。
上記したように、この実施形態の場合、カメラ本体部１の取り外しは、係合部材２０、２１を各々外側から押すだけでよい。
従って、必要なとき、係合部材２０、２１を各々外側から押してやれば、カメラ本体部１に対する係合が解かれ、カメラ取付部２から自重によりカメラ本体部１を取り外すことができる。
また、このときは落下防止ワイヤ３があるので、万が一、カメラ本体部１の把持が不充分で、手から取り落したとしても落下の虞はない。
【００３２】
カメラ取付部２からカメラ本体部１を取り外したら、それを把持して手元に引き寄せ、カメラ本体部１から落下防止ワイヤ３を取り外す。
このとき、落下防止ワイヤ３は、突起１８があるので、溝孔１４の周辺端部１９に位置している。
そこで、落下防止ワイヤ３を、図７に矢印Ｚで示した方向に、直線部分１６に沿って移動させ、突起１８が設けられている部分では僅かに大きな力を加え、直線部分１７の端部にある丸孔部１５まで動かし、ここでボール端子３２を溝孔１４から取り出せば、落下防止ワイヤ３がカメラ本体部１から取り外せ、カメラ本体部１をカメラ取付部２から切り離して自由にすることができる。
【００３３】
このときも、カメラ本体部１は、カメラ取付部２から、落下防止ワイヤ３の長さだけ下に降ろせ、ここで座取付部１３が上向きの状態にして落下防止ワイヤ３が取り外せるようになるので、取り外しは極めて容易な作業になり、従って、落下の虞はほとんどなく、勿論、ネジやドライバなどの工具を取り落とす虞もないことは取り付け時と同じである。
なお、このことも、落下防止ワイヤ３の取り付け方法が、上側にあるカメラ取付部２ではリング端子３１を用いたネジ止め固定になっていて、下側のカメラ本体部１では、溝孔１４に対するボール端子３２の係合になっていることに由来する。
【００３４】
従って、この実施形態によれば、天井下面などの高所での落下防止ワイヤ３の取付作業が不要になるので、安全性の確保が容易になり、カメラ本体部１に対する落下防止ワイヤ３の着脱が手作業で済むので、取付作業現場での作業が単純化され、短時間で作業を済ませることができる。
なお、上記実施形態では、テレビカメラ装置の設置場所が天井面になっているが、本発明は壁面に設置する場合も同じ作用効果が得られることは言うまでもない。
【００３５】
ここで、この実施形態においても、落下防止ワイヤ３が備えられていることから、テレビカメラ装置の取り付け作業や取り外し作業に際して、カメラ本体部１を手から取り落した場合に限らず、地震による振動や物体の接触などによりカメラ本体部１の取り付けが外れたりした場合でも落下が防止でき、安全性の確保が得られることはいうまでもない。
【符号の説明】
【００３６】
１  カメラ本体部
２  カメラ取付部
３  落下防止ワイヤ
１０  撮像部
１１  保持部
１２  台座部
１３  台座取付部
１４  溝孔
１５  丸孔部
１６  直線部分(溝孔１４の直線部分その１)
１７  直線部分(溝孔１４の直線部分その２)
１８  突起
１９  周辺端部
２０、２１  係合部材
２２  ワイヤ取付部
２３  台座受け部
３０  芯線
３１  リング端子
３２  ボール端子
３３  被覆
Ｓ  天井
【図１】
2012094970.tif 000003
【図２】
2012094970.tif 000004
【図３】
2012094970.tif 000005
【図４】
2012094970.tif 000006
【図５】
2012094970.tif 000007
【図６】
2012094970.tif 000008
【図７】
2012094970.tif 000009